(57)【要約】【課題】通常の塗装方法に、更に酸性液状塗料を用いて塗装することで、被塗装材料の表面に独創性のある装飾模様を施すことが出来る装飾塗装方法を提供する。【解決手段】脱脂処理を行った被塗装材料の表面にプライマー（接着剤等）を塗布し（ステップ３）、乾燥後に金属塗装板材料の表面にエアスプレー等により所定の着色した地色となる塗料により中塗りを行い（ステップ４）、乾燥後、この表面に酸性液状塗料（例えば、メルテックス株式会社製のエボノール（商品名））をエアスプレー等により均一に塗布、または酸性液状塗料に漬けたり刷毛で塗ることにより付着させる（ステップ５）。  そして、酸性液状塗料を塗布または付着させた後、５〜１０分程度放置すると、図２に示すように金属塗装板材料１の表面には装飾模様Ｘが現れる（ステップ６）。【選択図】図１
2005046773.tif 000002
【特許請求の範囲】
【請求項１】
金属材料または非金属材料から成る被塗装材料の表面を平滑仕上げを行うと共に、脱脂処理を施した後、この被塗装材料の表面にプライマーを塗布し、更に被塗装材料の表面に所定の地色となる中塗りを行い、この表面に酸性液状塗料を均一に塗布、または付着させた後、被塗装材料の表面に装飾模様が現れるまで放置し、この装飾模様が現れたら、その被塗装材料の表面を水洗いまたは布で残存する酸性液状塗料を除去し、自然乾燥さすることを特徴とする装飾塗装方法。
【請求項２】
前記自然乾燥させた被塗装材料の少なくとも装飾模様部分を、透明な樹脂材料によりコーティングを施す請求項１に記載の装飾塗装方法。
【発明の詳細な説明】
【技術分野】
【０００１】
この発明は、建築材料の装飾壁材料や装飾品の壁面材料として使用する金属材料または非金属材料から成る被塗装材料の装飾塗装方法に関するものである。
【背景技術】
【０００２】
従来、建築分野や土木分野等における内外壁面に表面が装飾された壁面板材料が使用されている。この壁面板材料として、ステンレス，鉄，アルミニュム等の金属材料の他、樹脂材料や陶器，木材等の非金属材料の表面に、装飾模様を施したものが使用され、特に金属材料を使用した壁面板材料は、表面に独特な装飾模様を創作するために、種々の工夫がなされている。
【０００３】
ところで、金属材料の装飾壁材料の場合には、金属塗装板材料の表面を研磨等を行って平滑仕上げを行った後、表面の油分を除去するために脱脂処理を行い、この金属塗装板材料の表面にプライマー（接着剤等）を塗布し、更に金属塗装板材料の表面にエアスプレー等により所定の着色した塗料を吹き付けて乾燥塗装する方法が一般的である（例えば、特許文献１参照）。
【０００４】
しかし、このような一般の塗装方法では、通常の装飾模様の装飾壁材料しか製作することが難しく、独創的な装飾模様をあしらった装飾壁材料を製作することが出来なかった。    
【特許文献１】特開２００３−１７０５２７号公報（第２〜第４頁）
【発明の開示】
【発明が解決しようとする課題】
【０００５】
この発明はかかる従来の問題点に着目し、通常の塗装方法に、更に酸性液状塗料を用いて塗装することで、被塗装材料の表面に独創性のある装飾模様を施すことが出来る装飾塗装方法を提供することを目的とするものである。
【課題を解決するための手段】
【０００６】
この発明は上記目的を達成するため、金属材料または非金属材料から成る被塗装材料の表面を平滑仕上げを行うと共に、脱脂処理を施した後、この被塗装材料の表面にプライマーを塗布し、更に被塗装材料の表面に所定の地色となる中塗りを行い、この表面に酸性液状塗料を均一に塗布、または付着させた後、被塗装材料の表面に装飾模様が現れるまで放置し、この装飾模様が現れたら、その被塗装材料の表面を水洗いまたは布で残存する酸性液状塗料を除去し、自然乾燥することを要旨とするものである。
【０００７】
ここで、前記自然乾燥させた被塗装材料の少なくとも装飾模様部分を、透明な樹脂材料によりコーティングを施すことで、表面を保護し、光沢を出すことが可能となる。
【０００８】
このように、所定の地色となる中塗りを行った被塗装材料の表面に酸性液状塗料を均一に塗布、または付着させた後、被塗装材料の表面に装飾模様が現れるまで放置し、この装飾模様が現れたら、その被塗装材料の表面を水洗いまたは布で残存する酸性液状塗料を除去し、自然乾燥し、更に被塗装材料の少なくとも装飾模様部分を、透明な樹脂材料によりコーティングを施すことで独創性のある装飾模様を簡単に、しかも容易に製作できるものである。
【発明の効果】
【０００９】
この発明は、上記のように金属材料または非金属材料から成る被塗装材料の表面を平滑仕上げを行うと共に、脱脂処理を施した後、この被塗装材料の表面にプライマーを塗布し、更に被塗装材料の表面に所定の地色となる中塗りを行い、この表面に酸性液状塗料を均一に塗布、または付着させた後、被塗装材料の表面に装飾模様が現れるまで放置し、この装飾模様が現れたら、その被塗装材料の表面を水洗いまたは布で残存する酸性液状塗料を除去し、自然乾燥するので、従来の塗装工程に、少なくとも数工程を付加するだけで、被塗装材料の表面に独創性のある装飾模様を施した材料を安価に、しかも簡単に製造することが出来る効果がある。
【発明を実施するための最良の形態】
【００１０】
以下、添付図面に基づき、この発明の実施形態を説明する。
【００１１】
図１は、この発明の装飾塗装方法を実施するための装飾塗装工程のフローチャート図を示し、この発明で実施可能な被塗装材料としては、例えば、ステンレス，鉄，アルミニュム等の金属材料板の他、樹脂材料や陶器，木材等の非金属材料板等であり、この被塗装材料は、建築分野の壁面板材料や装飾材料の他、土木分野の壁面板材料に使用することが可能である。
【００１２】
なお、以下の説明では、装飾被塗装材料の母材として、例えば、金属材料板を装飾塗装する場合について説明する。なお、その他の装飾被塗装材料についても、略同様な方法により塗装することが出来るので説明は省略する。
【００１３】
この発明では、先ず金属材料から成る被塗装材料の表面を研磨加工等をを行って平滑仕上げを行い（ステップ１）、次いで、その仕上げを行った表面の油分を除去するために脱脂処理を行う（ステップ２）。
【００１４】
次に、脱脂処理を行った被塗装材料の表面にプライマー（接着剤等）を塗布し（ステップ３）、乾燥後に金属塗装板材料の表面にエアスプレー等により所定の着色した地色となる塗料により中塗りを行い（ステップ４）、乾燥後、この表面に酸性液状塗料（例えば、メルテックス株式会社製のエボノール（商品名））をエアスプレー等により均一に塗布、または酸性液状塗料に漬けたり、刷毛で塗ることにより付着させる（ステップ５）。
【００１５】
そして、酸性液状塗料を塗布または付着させた後、５〜１０分程度放置すると、図２に示すように金属塗装板材料１の表面には装飾模様Ｘが現れる（ステップ６）。
【００１６】
この装飾模様が現れたら、その装飾模様Ｘが金属塗装板材料１の表面に対してどの程度の面積を占めたかを作業者が任意に判断し、その時点で金属塗装板材料の表面を水洗いまたは布で残存する酸性液状塗料を除去する（ステップ７）。
【００１７】
その後、金属塗装板材料１を加熱または自然乾燥させ、最終仕上げ工程では、更に自然乾燥させた金属被塗装材料１の少なくとも装飾模様Ｘ部分（全面または一部でも良い）を透明な樹脂材料（例えば、フッソ樹脂等）によりコーティングを施すことで、表面を保護し、光沢を出すことが出来るものである（ステップ８）。
【００１８】
このように、金属材料または非金属材料から成る被塗装材料の表面を平滑仕上げを行うと共に、脱脂処理を施した後、この被塗装材料の表面にプライマーを塗布し、更に被塗装材料の表面に所定の地色となる中塗りを行い、この表面に酸性液状塗料を均一に塗布、または付着させた後、被塗装材料の表面に装飾模様が現れるまで放置し、この装飾模様が現れたら、その被塗装材料の表面を水洗いまたは布で残存する酸性液状塗料を除去し、自然乾燥するので、従来の塗装工程に、少なくとも数工程を付加するだけで、被塗装材料の表面に独創性のある装飾模様を施した材料を安価に、しかも簡単に製造することが出来る効果がある。
【図面の簡単な説明】
【００１９】
【図１】この発明の装飾塗装方法を実施するための装飾塗装工程のフローチャート図である。
【図２】金属塗装板材料の表面には装飾模様が現れた金属塗装板材料の斜視図である。
【符号の説明】
【００２０】
１  金属塗装板材料            Ｘ  装飾模様
【図１】
2005046773.tif 000003
【図２】
2005046773.tif 000004